(57)【要約】【課題】映像信号が欠損していても適正に映像信号を変調する映像処理装置を提供することを課題とする。【解決手段】映像処理装置１であって、映像信号として連続して入力される複数本の水平線信号の長さを、水平線信号ごとに測定する信号長測定手段６と、映像の配信形態等に応じて予め定められている映像信号の水平線信号の所定長さと、信号長測定手段６によって測定された一の水平線信号の長さとを比較し、一の水平線信号のジッター量を取得するジッター量取得手段７と、ジッター量取得手段７によって取得されたジッター量に応じて、一の水平線信号の次に入力される後続の水平線信号を補正する補正手段５と、を備える。【選択図】図１
2008131384.tif 000002
【特許請求の範囲】
【請求項１】
映像信号として連続して入力される複数本の水平線信号の長さを、水平線信号ごとに測定する信号長測定手段と、
映像の配信形態等に応じて予め定められている前記映像信号の水平線信号の所定長さと、前記信号長測定手段によって測定された一の水平線信号の長さとを比較し、該一の水平線信号のジッター量を取得するジッター量取得手段と、
前記ジッター量取得手段によって取得された前記ジッター量に応じて、前記一の水平線信号の次に入力される後続の水平線信号を補正する補正手段と、
を備える映像処理装置。
【請求項２】
前記信号長測定手段は、前記一の水平線信号に含まれる水平同期信号と前記後続の水平線信号に含まれる水平同期信号との間隔を計測することにより、該一の水平線信号の長さを測定する、
請求項１に記載の映像処理装置。
【請求項３】
前記映像信号は、コンポーネント形式で構成され、
前記補正手段は、コンポーネント形式である前記一の水平線信号をコンポジット形式に変換する際に使用した色副搬送波の位相を、前記ジッター量に応じて補正する、
請求項１または２に記載の映像処理装置。
【請求項４】
コンポーネント形式の水平線信号から輝度信号と色信号を生成するＹ／Ｃ生成手段と、
色信号を色副搬送波で変調する変調手段と、
輝度信号と色信号とを重畳し、コンポジット映像信号として出力する出力手段と、を更に備え、
前記Ｙ／Ｃ生成手段は、前記後続の水平線信号から輝度信号と色信号を生成し、
前記変調手段は、前記Ｙ／Ｃ生成手段によって生成された前記色信号を、前記補正手段によって位相が補正された色副搬送波で変調し、
前記出力手段は、前記Ｙ／Ｃ生成手段によって生成された輝度信号と前記変調手段によって変調された色信号とを重畳し、前記コンポジット映像信号として出力する、
請求項３に記載の映像処理装置。
【請求項５】
前記信号長測定手段は、前記後続の水平線信号に含まれる水平同期信号が入力されてから前記一の水平線信号の長さを測定し、
前記補正手段は、前記変調手段が前記色信号を変調する前までに前記色副搬送波の位相を補正する、
請求項４に記載の映像処理装置。
【請求項６】
前記映像信号は、コンポジット形式で構成され、
前記補正手段は、コンポジット形式である前記後続の水平線信号の位相を、前記ジッター量に応じて補正する、
請求項１または２に記載の映像処理装置。
【請求項７】
水平線信号を記憶する水平線信号記憶手段と、
コンポジット形式の水平線信号から輝度信号と色信号を分離するＹ／Ｃ分離手段と、を更に備え、
前記水平線信号記憶手段は、入力される前記一の水平線信号を記憶し、
前記Ｙ／Ｃ分離手段は、ライン相関法またはフレーム相関法に基づき、前記水平線信号記憶手段に記憶されている前記一の水平線信号と、前記補正手段によって位相が補正された前記後続の水平線信号とから、輝度信号と色信号を分離する、
請求項６に記載の映像処理装置。
【請求項８】
前記信号長測定手段は、前記後続の水平線信号に含まれる水平同期信号が入力されてから前記一の水平線信号の長さを測定し、
前記補正手段は、前記Ｙ／Ｃ分離手段が前記輝度信号と前記色信号を分離する前に前記後続の水平線信号の位相を補正する、
請求項７に記載の映像処理装置。
【請求項９】
前記信号長測定手段は、デジタル信号で構成される前記一の水平線信号に含まれる水平同期信号とデジタル信号で構成される前記後続の水平線信号に含まれる水平同期信号との間にある画素データの個数を計数することにより、該画素データの個数を該一の水平線信号の長さとして測定し、
前記ジッター量取得手段は、映像の配信形態等に応じて予め定められている映像信号の一水平線当りの画素データの個数に関する規格と、前記信号長測定手段において計数された前記一の水平線信号の画素データの個数とを比較し、画素データの個数の差分から該一の水平線信号のジッター量を算出する、
請求項２から８の何れかに記載の映像処理装置。
【発明の詳細な説明】
【技術分野】
【０００１】
本発明は、映像処理装置に関する。
【背景技術】
【０００２】
映像信号は、伝送経路に応じてコンポーネント形式やコンポジット形式に適宜変調される。映像信号は、様々な電子デバイスによって信号の波長や周波数、振幅が変調される。
【０００３】
映像信号は、平面に格子状に配置された無数の受光素子を走査することによって生成される。テレビ放送や映像記録媒体でやりとりされる映像信号は、国際電気通信連合（以下、「ＩＴＵ」という。）が勧告する映像信号の標準規格に準拠するように構成されている。映像信号が標準規格に準拠されていることにより、映像処理装置間で映像信号を互換することが可能になる。
【０００４】
変調された映像信号は、映像機器の性能や通信環境の影響によってジッターが混入すると、正常に復調できない場合がある。そこで、映像信号にジッターが含まれていても正しく復調する映像信号処理技術が開発されている（例えば、特許文献１や２を参照。）。
【特許文献１】特公昭５９−４６１５８号公報
【特許文献２】特開２００５−２１０５７７号公報
【発明の開示】
【発明が解決しようとする課題】
【０００５】
映像信号をコンポーネント信号やコンポジット信号に変調する機器は、入力される映像信号が、ＩＴＵが勧告する標準規格に準拠していることを前提としている。しかしながら、現実にはジッターの影響により、映像信号の長さが標準規格の信号の長さとずれている場合がある。コンポーネント信号をコンポジット信号に変調する際、コンポーネント信号の長さがずれていると、色信号と色副搬送波の位相にずれが生じてコンポジット信号が正しく生成されなくなる。また、コンポジット信号をコンポーネント信号に変調する際、コンポジット信号の長さが標準規格の信号の長さとずれていると、隣接する水平線信号の位相にズレが生じてＹ／Ｃ分離が正常に行われなくなる。
【０００６】
そこで本発明は、映像信号にジッターが混入していても適正に映像信号を変調する映像処理装置を提供することを課題とする。
【課題を解決するための手段】
【０００７】
本発明は、上記の課題を解決するため、映像処理装置であって、一の水平線信号の長さを測定してジッター量を取得し、ジッター量に応じて該一の水平線信号の次に入力される水平線信号を補正する。
【０００８】
詳細には、本発明は映像処理装置であって、映像信号として連続して入力される複数本の水平線信号の長さを、水平線信号ごとに測定する信号長測定手段と、映像の配信形態等に応じて予め定められている前記映像信号の水平線信号の所定長さと、前記信号長測定手段によって測定された一の水平線信号の長さとを比較し、該一の水平線信号のジッター量を取得するジッター量取得手段と、前記ジッター量取得手段によって取得された前記ジッター量に応じて、前記一の水平線信号の次に入力される後続の水平線信号を補正する補正手段と、を備える。
【０００９】
映像信号を所望の信号に変調する装置として、隣接する水平線信号同士の位相を利用し
て映像信号を変調する方法を採用したものがある。しかし、映像信号には映像機器や伝送経路等を経由する過程でジッターが混入している場合がある。映像信号にジッターが混入していると、映像信号の長さが変わるため、隣接する水平線信号同士の位相の関係が変化してしまう。ここで、一般的に、映像信号は、ジッター等が混入していない場合はＩＴＵ等が勧告する標準規格に準拠している。換言すれば、映像信号にジッターが混入した場合、水平線信号の長さと標準規格の長さとの間にずれが生じることになる。
【００１０】
そこで、本発明に係る映像処理装置は、信号長測定手段とジッター量取得手段と補正手段とを備える。
【００１１】
まず、信号長測定手段が、映像信号として連続して入力される複数本の水平線信号のうち一の水平線信号の長さを計測する。水平線信号の長さは、映像信号のデータ数や入力に要する時間等により取得する方法が挙げられる。
【００１２】
次に、ジッター量取得手段が、信号長測定手段によって取得された一の水平線信号の長さと映像の配信形態等に応じて予め定められている水平線信号の所定長さとを比較する。信号長測定手段によって計測された水平線信号の長さが所定長さよりも長いか若しくは短い場合、その差分は一の水平線信号のジッター量ということになる。
【００１３】
次に、補正手段が、ジッター量取得手段によって取得されたジッター量に応じて一の水平線信号の次に入力される後続の水平線信号を補正する。補正手段が補正する補正対象は、水平線信号の位相そのものや、水平線信号を搬送する際に用いる搬送波の位相等が挙げられる。
【００１４】
以上により、水平線信号にジッターが混入している場合であっても、隣接する水平線信号同士の位相の関係を補正し、連続して入力される水平線信号を逐一補正していくことにより、映像信号を適正に変調し続けることが可能になる。なお、本発明において水平線信号とは、一水平走査線の映像信号であり、例えば、連続する２つの水平同期信号の間に挟まれる映像信号である。また、一の水平線信号とは、連続して入力される複数本の映像信号に含まれる水平線信号であり、例えば、映像信号に含まれる複数本の水平線信号の中から任意に選ばれる水平線信号である。また、後続の水平線信号とは、映像信号に含まれる水平線信号であり、例えば、一の水平線信号の次に入力される水平線信号である。また、所定長さとは、映像の配信形態等に応じて予め定められている一水平線信号の長さであり、例えば、ＩＴＵが勧告する水平線信号の長さである。
【００１５】
また、前記信号長測定手段は、前記一の水平線信号に含まれる水平同期信号と前記後続の水平線信号に含まれる水平同期信号との間隔を計測することにより、該一の水平線信号の長さを測定するようにしてもよい。
【００１６】
映像信号に含まれる複数本の水平線信号には、水平同期信号が含まれている。水平同期信号は、水平線の水平走査を開始するタイミングを示したものであり、水平線信号の先頭に含まれている。よって、連続して入力される複数本の水平線信号のうち一の水平線信号に含まれている水平同期信号と、一の水平線信号の次に入力される後続の水平線信号に含まれている水平同期信号との間には、該一の水平線信号の画素に関する信号が含まれていることになる。従って、信号長測定手段は、連続する２つの水平線信号のうち、一の水平線信号に含まれている水平同期信号と後続の水平線信号に含まれている水平同期信号との間隔を計測することにより、一の水平線信号の長さを測定することが可能となる。
【００１７】
また、前記映像信号は、コンポーネント形式で構成され、前記補正手段は、コンポーネント形式である前記一の水平線信号をコンポジット形式に変換する際に使用した色副搬送
波の位相を、前記ジッター量に応じて補正してもよい。すなわち、信号長測定手段によって測定された水平線信号の長さが標準規格の長さよりも短い場合は色副搬送波の位相を進め、信号長測定手段によって計測された水平線信号の長さが標準規格の長さよりも長い場合は色副搬送波の位相を遅らせる。
【００１８】
コンポーネント形式の映像信号をコンポジット形式に変換する場合、映像信号に含まれる色信号を色副搬送波で変調して搬送色信号を生成する処理が行われる。搬送色信号を生成する際に使う色副搬送波は、一定の周波数を発生する発信器（例えば、水晶発信器。）で生成される。この発信器は、入力されるコンポーネント映像信号の如何に関わらず、常に一定周期（例えば、３．５８ＭＨｚ。）の色副搬送波を発生する。コンポジット映像信号を生成する際は、入力されるコンポーネント映像信号の信号長が、ＩＴＵ等が勧告する標準規格に沿っていることを前提に、一定周期の色副搬送波で色信号を変調している。
【００１９】
ここで、映像処理装置に入力されるコンポーネント映像信号にジッターが混入し、入力されるコンポーネント映像信号の一の水平線信号の信号長が、ＩＴＵ等が勧告する標準規格の信号の長さに一致していないと、次に入力される後続の水平線信号の位相がジッターの時間長さ分だけずれた状態で入力される。後続の水平線信号の位相がずれているにも関わらず、色信号を変調する際に使う色副搬送波の位相を補正しないまま色信号を変調すると、正常な搬送色信号が生成されない。
【００２０】
そこで、補正手段によって色副搬送波の位相を補正する。後続の水平線信号の位相は、一の水平線信号に含まれるジッターの時間長さ分だけずれている。よって、ジッター量取得手段によって取得されたジッター量だけ色副搬送波の位相を補正することにより、後続の水平線信号の色信号の位相と色副搬送波の位相とを一致させることが可能になる。後続の水平線信号の色信号の位相と色副搬送波の位相とを一致させた状態で色信号の変調を行うため、適正な搬送色信号を生成することが可能となる。
【００２１】
また、前記映像処理装置は、コンポーネント形式の水平線信号から輝度信号と色信号を生成するＹ／Ｃ生成手段と、色信号を色副搬送波で変調する変調手段と、輝度信号と色信号とを重畳し、コンポジット映像信号として出力する出力手段と、を更に備え、前記Ｙ／Ｃ生成手段は、前記後続の水平線信号から輝度信号と色信号を生成し、前記変調手段は、前記Ｙ／Ｃ生成手段によって生成された前記色信号を、前記補正手段によって位相が補正された色副搬送波で変調し、前記出力手段は、前記Ｙ／Ｃ生成手段によって生成された輝度信号と前記変調手段によって変調された色信号とを重畳し、前記コンポジット映像信号として出力するようにしてもよい。
【００２２】
まず、Ｙ／Ｃ生成手段が、後続の水平線信号の輝度信号と色信号を生成する。Ｙ／Ｃ生成手段は、コンポジット映像信号の原色信号を合成することにより輝度信号を生成する。また、Ｙ／Ｃ生成手段は、生成した輝度信号と原色信号との差分を算出することにより色信号を生成する。
【００２３】
変調手段は、補正手段によって位相が補正された色副搬送波で後続の水平線信号の色信号を変調する。色副搬送波の位相は、補正手段によって後続の水平線信号の位相に一致するように補正されている。よって、この色副搬送波で後続の水平線信号の色信号を変調することにより、正常に変調された搬送色信号を生成することが可能となる。
【００２４】
次に、出力手段が、コンポジット映像信号を出力する。出力手段は、Ｙ／Ｃ生成手段によって生成された輝度信号と変調手段によって変調された色信号（搬送色信号）とを重ね合わせてコンポジット形式の映像信号を生成し、出力する。
【００２５】
以上により、本発明に係る映像処理装置によれば、入力されるコンポーネント映像信号にジッターが混入していても適正に映像信号をコンポジット映像信号に変調することが可能になる。
【００２６】
また、前記信号長測定手段は、前記後続の水平線信号に含まれる水平同期信号が入力されてから前記一の水平線信号の長さを測定し、前記補正手段は、前記変調手段が前記色信号を変調する前までに前記色副搬送波の位相を補正するようにしてもよい。
【００２７】
コンポジット映像信号は、水平同期信号、バースト信号、輝度信号や色信号の順に構成されている。すなわち、水平同期信号と輝度信号や色信号との間には時間的な隙間がある。そこで、後続の水平線信号に含まれる水平同期信号の入力を受けて一の水平線信号のジッター量を取得したのち、後続の水平線信号の色信号の変調を行う前までに色副搬送波の位相を補正することにより、後続の水平線信号の色信号を適正に変調することが可能になる。
【００２８】
また、前記映像信号は、コンポジット形式で構成され、前記補正手段は、コンポジット形式である前記後続の水平線信号の位相を、前記ジッター量に応じて補正するようにしてもよい。
【００２９】
コンポジット映像信号は、色信号を輝度信号に重ねることにより生成されている。そして、コンポジット映像信号は、隣接する水平線の輝度信号同士が同位相であり、色信号同士は逆位相になっている。コンポジット映像信号は、輝度信号の搬送波の周波数成分が水平走査周波数の整数倍上に分布するのに対し、色信号の搬送波の周波数成分は水平走査周波数から９０度だけ位相がずれた位置に分布しており、色信号の搬送波が隣接する水平線との間で振幅方向が反転するためである。コンポジット映像信号を輝度信号や色信号に分離するライン相関法やフレーム相関法は、これら周波数成分の特性に着目し、輝度信号と色信号とを分離している。すなわち、隣接する水平線同士の水平線信号の和を取ることで輝度信号を生成し、水平線信号の差を取ることで色信号を生成する。これにより、一度重ね合わせた色信号と輝度信号とを分離している。
【００３０】
ここで、映像処理装置に入力されるコンポジット映像信号にジッターが混入し、入力されるコンポジット映像信号の一水平線の信号長が、ＩＴＵ等が勧告する標準規格の信号の長さとずれている場合がある。この場合、次に入力される水平線信号の位相は、前に入力された水平線信号に混入していたジッターの時間長さ分だけずれる。よって、隣接する水平線の輝度信号同士が同位相でなく、色信号同士も逆位相になっていないため、位相の補正を行わないままライン相関法やフレーム相関法で輝度信号と色信号とを分離しようとしても正常に分離されない。
【００３１】
そこで、補正手段によって、後続の水平線信号の位相を補正する。映像信号にジッターが混入した場合、後続の水平線信号の位相は、一の水平線信号のジッターの時間長さ分だけずれた状態となる。そこで、ジッター量取得手段によって計測されたジッター量だけ後続の水平線信号の位相を補正する。すなわち、信号長測定手段によって測定された水平線信号の長さが標準規格の長さよりも短い場合は後続の水平線信号の位相を遅らせ、信号長測定手段によって計測された水平線信号の長さが標準規格の長さよりも長い場合は後続の水平線信号の位相を進める。これにより、一の水平線信号の位相と後続の水平線信号の位相を一致させることが可能になる。
【００３２】
また、前記映像処理装置は、水平線信号を記憶する水平線信号記憶手段と、コンポジット形式の水平線信号から輝度信号と色信号を分離するＹ／Ｃ分離手段と、を更に備え、前記水平線信号記憶手段は、入力される前記一の水平線信号を記憶し、前記Ｙ／Ｃ分離手段
は、ライン相関法またはフレーム相関法に基づき、前記水平線信号記憶手段に記憶されている一の水平線信号と、前記補正手段によって位相が補正された後続の水平線信号とから、輝度信号と色信号を分離するようにしてもよい。
【００３３】
水平線信号保持手段は、一の水平線信号を保持する。水平線信号保持手段は、少なくとも後続の水平線信号が入力され、ライン相関法またはフレーム相関法により輝度信号及び色信号の算出が完了するまでの間、一の水平線信号を保持する。
【００３４】
次に、Ｙ／Ｃ分離手段によって、一の水平線信号と後続の水平線信号から輝度信号と色信号を分離する。輝度信号と色信号を分離する際は、ライン相関法またはフレーム相関法に基づいて分離する。後続の水平線信号の位相は、補正手段によって位相が補正されている。よって、一の水平線信号にジッターが混入し、後続の水平線信号の位相がずれた状態で入力された場合であっても、Ｙ／Ｃ分離手段には位相が一致した状態の一の水平線信号と後続の水平線信号とが入力されることになる。一の水平線信号の位相と後続の水平線信号の位相が一致しているということは、換言すれば、隣接する一の水平線と後続の水平線のそれぞれの輝度信号同士は同位相であり、色信号同士は逆位相になっているということである。従って、一の水平線信号と後続の水平線信号の和を取ることで輝度信号を生成し、差を取ることで色信号を生成することが可能になる。これにより、一度重ね合わせた色信号と輝度信号を適正に分離することが可能になる。
【００３５】
以上により、本発明に係る映像処理装置によれば、入力されるコンポジット映像信号が欠損していても適正に輝度信号と色信号とを分離することが可能になる。
【００３６】
また、前記信号長測定手段は、前記後続の水平線信号に含まれる水平同期信号が入力されてから前記一の水平線信号の長さを測定し、前記補正手段は、前記Ｙ／Ｃ分離手段が前記輝度信号と前記色信号を分離する前に前記後続の水平線信号の位相を補正するようにしてもよい。
【００３７】
コンポジット映像信号は、水平同期信号、バースト信号、輝度信号や色信号の順に構成されている。すなわち、水平同期信号と輝度信号や色信号との間には時間的な隙間がある。そこで、後続の水平線信号に含まれる水平同期信号の入力を受けて一の水平線信号のジッター量を取得したのち、後続の水平線信号の輝度信号と色信号を分離する前までに色副搬送波の位相を補正しておくことにより、後続の水平線信号の輝度信号と色信号を適正に分離することが可能になる。
【００３８】
また、前記信号長測定手段は、デジタル信号で構成される前記一の水平線信号に含まれる水平同期信号とデジタル信号で構成される前記後続の水平線信号に含まれる水平同期信号との間にある画素データの個数を計数することにより、該画素データの個数を該一の水平線信号の長さとして測定し、前記ジッター量取得手段は、映像の配信形態等に応じて予め定められている映像信号の一水平線当りの画素データの個数に関する規格と、前記信号長測定手段において計数された前記一の水平線信号の画素データの個数とを比較し、画素データの個数の差分から該一の水平線信号のジッター量を算出するようにしてもよい。
【００３９】
入力されるコンポーネント映像信号やコンポジット映像信号がデジタル信号の場合、これら映像信号に混入したジッターとは、映像信号データの個数の変動を意味する。また、これら映像信号のジッター量とは、換言すれば、映像信号を構成している画素データの個数の差分である。従って、入力される映像信号の画素データの個数を計数し、標準規格で定められている画素データの個数と比べ合わせることにより、ジッター量を算出することが可能になる。
【００４０】
以上により、本発明に係る映像処理装置によれば、入力されるコンポーネント映像信号またはコンポジット映像信号の画素データがずれている場合のジッター量が取得されるため、適正に映像を処理することが可能になる。
【発明の効果】
【００４１】
本発明によれば、映像信号にジッターが混入していても適正に映像信号を変調する映像処理装置を提供することが可能となる。
【発明を実施するための最良の形態】
【００４２】
以下、本発明を実施するための最良の形態を例示的に説明する。以下に示す実施例は例示であり、本発明はこれらに限定されない。
【実施例１】
【００４３】
＜構成＞
図１は、本発明の一実施例に係る映像処理装置１の構成を示す。図１において示すように、映像処理装置１は、入力されるコンポーネント映像信号をコンポジット映像信号に変換して出力する。本実施例に係る映像処理装置１は、ＩＣ等で構成されるデジタル信号回路で構成しており、ＩＴＵ勧告の映像信号の規格（ＢＴ．６５６）に準拠する映像を処理することを前提としているが、ＣＰＵ等を備えるコンピュータで構成してもよいし、アナログ信号回路で構成してもよい。
【００４４】
映像処理装置１は、コンポーネント映像信号の原色信号（赤（Ｒ）、緑（Ｇ）、青（Ｂ））の入力を受け付けるマトリックス回路２、及びこれら原色信号を加工する変調回路３や加算回路４を備え、コンポーネント映像信号をコンポジット映像信号に変換して外部に出力する。また、映像処理装置１は、変調回路３で映像信号を変調する際に必要な色副搬送波を生成する色副搬送波生成回路５（本発明でいう、「補正手段」に相当。）を備える。なお、映像処理装置１は、色副搬送波の位相を補正する際の補正量（ジッター量）を取得するため、水平同期信号に基づいて信号長を測定する信号長測定回路６（本発明でいう、「信号長測定手段」に相当。）と、測定した信号長に基づいて信号のジッター量を取得するジッター量取得回路７（本発明でいう、「ジッター量取得手段」に相当。）を備える。
【００４５】
マトリックス回路２は、外部から入力されるコンポーネント映像信号の原色信号（Ｒ，Ｇ，Ｂ）を受け付ける。マトリックス回路２は、入力される原色信号から輝度信号８（Ｙ）と色信号９（Ｃｒ）と色信号１０（Ｃｂ）を生成する。
【００４６】
ここで、人間の目は、光の３原色（赤（Ｒ）、緑（Ｇ）、青（Ｂ））が同じ輝度で発光している場合、光を感じる割合が３：６：１である。よって、マトリックス回路２は、３つの原色信号（Ｒ，Ｇ，Ｂ）を３：６：１の割合で加え合わせることによって、輝度信号８（Ｙ）を生成する。また、マトリックス回路２は、原色信号（Ｒ）から輝度信号８（Ｙ）を減算して色信号９（Ｃｒ）を生成し、原色信号（Ｂ）から輝度信号８（Ｙ）を減算して色信号１０（Ｃｂ）を生成する。マトリックス回路２は、生成した輝度信号８（Ｙ）を加算回路４に送るとともに、色信号９（Ｃｒ）および色信号１０（Ｃｂ）を変調回路３に送る。
【００４７】
変調回路３は、マトリックス回路２から送られる色信号９（Ｃｒ）および色信号１０（Ｃｂ）を色副搬送波１１で変調し、搬送色信号１２を生成する。変調回路３は、色副搬送波生成回路５で生成される色副搬送波１１を使って色信号を変調する。変調回路３は、以下の数式に基づいて搬送色信号１２を生成する。
【数１】
2008131384.tif 000003
【００４８】
なお、上記数式において“ｆｓｃ”は色副搬送波１１であり、ＮＴＳＣ方式の場合は３．５８ＭＨｚ（ＰＡＬ方式の場合は４．４３ＭＨｚ）の信号である。
【００４９】
加算回路４は、マトリックス回路２から送られる輝度信号８（Ｙ）と変調回路３から通知される搬送色信号１２とを合算し、コンポジット映像信号として出力する。
【００５０】
ここで、映像処理装置１に入力されるコンポーネント映像信号は、撮像装置の性能や伝送経路に混入するノイズ等の影響により、映像信号にジッターが混入して映像信号のデータの個数がずれている場合がある。また、デジタル映像信号をコンポーネント形式からコンポジット形式に変換する装置の場合、色副搬送波は自身の位相カウンタを加算していくことで位相を生成する方法が一般的に採用されている。従って、入力されるコンポーネント映像信号のデータの個数がずれている場合、コンポーネント映像信号と色副搬送波１１とが同期しなくなる。なお、ＮＴＳＣ方式の映像信号の場合、一水平線信号の画素データの個数は１７１６個（ＰＡＬ方式の場合、１７２８個。）であるから、入力される画素データの個数との差分がジッター量ということになる。
【００５１】
図２において、ジッターが混入していない映像信号とジッターが混入した映像信号の位相関係を示す。図２において示すように、映像信号にジッターが混入している場合、水平同期信号（図２において、「ＨＳＹＮＣ」と示す。）と位相カウンタ（図２において、「ＰＨＡＳＥ」と示す。）との間にずれが生じることが判る。図３において、ジッターの影響による色副搬送波１１の位相のずれを示す。色信号を搬送するための色副搬送波１１は、隣接する水平線毎に位相が１８０度ずつ反転する状態の正弦波で色信号を変調している（図３において示す黒丸部分の位置に相当する。）。輝度信号を搬送する搬送波が水平同期信号を基点に生成される正弦波であるのに対し、色信号を搬送する搬送波は水平同期信号から１８０度位相をずらした位置を基点に生成される正弦波であるため、水平線が切り替わる毎に色信号を搬送する搬送波の振幅方向が反転するためである。ところが、映像信号にジッターが混入すると、ジッターの影響によって色副搬送波１１の位相が水平同期信号の位相とずれてしまう（図３において示す白丸部分の位置に相当する。）。
【００５２】
コンポーネント映像信号と色副搬送波１１とが同期していない状態で色信号を変調してしまうと、ＩＴＵが勧告する映像信号の規格に準拠しないコンポジット映像信号が生成されてしまう。このため、このコンポジット映像信号から正しい色信号を抽出することができなくなり、映像信号として機能しなくなってしまう。
【００５３】
そこで、本実施例に係る映像処理装置１は、ジッター量に応じて位相を補正した色副搬送波１１を色副搬送波生成回路５で生成する。
【００５４】
色副搬送波生成回路５は、変調回路３で色信号９（Ｃｒ）および色信号１０（Ｃｂ）を変調する際に用いる色副搬送波１１を生成する。色副搬送波生成回路５は、ＩＴＵ勧告のＮＴＳＣ方式に準拠する３．５８ＭＨｚの正弦波からなる色副搬送波１１を生成する。
【００５５】
色副搬送波生成回路５は、ジッター量取得回路７からコンポーネント映像信号のジッター量を取得すると、自身が生成する色副搬送波１１の位相を補正する。詳細には、色副搬送波生成回路５は、ジッター量取得回路７から通知されるコンポーネント映像信号のジッ
ター量がゼロならば一定周期の正弦波を生成し続ける。他方、色副搬送波生成回路５は、ジッター量取得回路７からゼロ以外のジッター量の通知を受けたら、該ジッター量に応じて生成する色副搬送波１１の位相を進める。
【００５６】
ここで、色副搬送波生成回路５に通知されるジッター量は、以下のようにして取得される。
【００５７】
コンポーネント映像信号には、水平同期信号が含まれている。水平同期信号は水平走査線の先頭位置を示しているため、連続する２つの水平同期信号の間隔を測定することで水平線信号の長さを取得することができる。
【００５８】
そこで、信号長測定回路６は、コンポーネント映像信号に含まれている水平同期信号の間隔から水平線信号の長さを取得する。ここで、本実施例に係る映像処理装置１は、デジタルのコンポーネント映像信号を取り扱うことを前提としている。よって、信号長測定回路６は、連続する２つの水平同期信号の間に挟まれる画素データの個数から水平線信号の長さを取得する。信号長測定回路６は、取得した水平線信号の長さをジッター量取得回路７に通知する。
【００５９】
ジッター量取得回路７は、信号長測定回路６から通知された水平線信号の長さとＩＴＵが勧告する水平線信号の長さの規格とを比較する。ＩＴＵが勧告する水平線信号の長さ（換言すれば、ジッターが混入していない水平線信号の長さ。）は、ＮＴＳＣ方式の場合は１７１６ＣＬＫ（画素）である（ＰＡＬ方式の場合は１７２８ＣＬＫである。）。そこで、ジッター量取得回路７は、信号長測定回路６から通知された水平線信号の長さとＩＴＵが勧告する水平線信号の長さの規格との差からコンポーネント映像信号のジッター量を取得する。ジッター量取得回路７は、取得したジッター量を色副搬送波生成回路５に通知する。
【００６０】
＜処理フロー＞
次に、映像処理装置１の処理フローについて説明する。図４において、映像処理装置１の処理フローを示す。以下、図４に示すフロー図を参照しながら説明する。
【００６１】
映像処理装置１にコンポーネント映像信号が入力されると、マトリックス回路２がコンポーネント映像信号の原色信号から輝度信号８（Ｙ）と色信号９（Ｃｒ）と色信号１０（Ｃｂ）を生成する（Ｓ１０１）。マトリックス回路２は、生成した輝度信号８（Ｙ）を加算回路４に送ると共に、色信号９（Ｃｒ）と色信号１０（Ｃｂ）を変調回路３に送る。
【００６２】
次に、信号長測定回路６が、コンポーネント映像信号に含まれている一の水平線信号の水平同期信号と後続の水平線信号の水平同期信号との間隔を測定する。信号長測定回路６は、一の水平線信号の長さに関する情報をジッター量取得回路７に通知する。ジッター量取得回路７は、通知された一の水平線信号の長さとＩＴＵ勧告の水平線信号の長さとを比較し、一の水平線信号に含まれるジッター量を取得する（Ｓ１０２）。ジッター量取得回路７は、取得した一の水平線信号に含まれるジッター量に関する情報を色副搬送波生成回路５に通知する。
【００６３】
次に、色副搬送波生成回路５が、ジッター量取得回路７から通知されたジッター量に応じて位相を補正した色副搬送波１１を生成する（Ｓ１０３）。すなわち、色副搬送波生成回路５は、ジッター量取得回路７から通知されるジッター量がゼロであれば３．５８ＭＨｚの正弦波を生成し続け、ゼロでないジッター量が通知されたら生成している色副搬送波１１の位相をジッター量に応じた時間分だけ補正する。色副搬送波生成回路５は、生成した色副搬送波１１を変調回路３に送る。
【００６４】
なお、図５において、色副搬送波生成回路５がジッター量に応じて位相を補正した色副搬送波１１を変調回路３に送るまでの再計算期間を示す。図５において示すように、映像処理装置１には、コンポーネント映像信号に含まれる一の水平線信号や後続の水平線信号が逐次入力される。また、映像処理装置１は、入力されたコンポーネント映像信号を順次コンポジット映像信号に変換しながら出力する必要がある。そこで、色副搬送波生成回路５は、図５に示すように、色副搬送波１１の位相の補正を後続の水平線信号のバースト信号が生成される前までに行う。
【００６５】
次に、変調回路３が、色副搬送波生成回路５から送られる色副搬送波１１を使って色信号９（Ｃｒ）と色信号１０（Ｃｂ）を変調し、搬送色信号１２を生成する（Ｓ１０４）。変調回路３は、生成した搬送色信号１２を加算回路４に送る。
【００６６】
次に、加算回路４が、輝度信号８（Ｙ）と搬送色信号１２とを合算する。輝度信号８（Ｙ）と搬送色信号１２とが合算されることにより、コンポジット形式の映像信号が生成される（Ｓ１０５）。加算回路４は、生成したコンポジット映像信号を外部に出力する。
【００６７】
＜効果＞
以上により、入力されるコンポーネント映像信号にジッターが混入していても、適正なコンポジット映像信号に変調することが可能となる。
【００６８】
本実施例に係る映像処理装置１は、映像信号をコンポジットで送信する必要がある機器に搭載すると好適である。このような機器としては、例えば、自動車用の車載テレビやバックモニタ用カメラ、テレビジョン放送装置等が挙げられる。
【００６９】
図６は、車載テレビジョンシステム１３のシステム構成を示す。図６において示すように、車載テレビジョンシステム１３は、車載テレビジョンシステム本体部１４、ハイダウェイユニット１５、及びリアモニタ１６で構成される。テレビジョン放送の電波から映像信号を抽出するハイダウェイユニット１５は、車載テレビジョンシステム本体部１４と分離されて後部座席の下等に配置される。ハイダウェイユニット１５は微弱な電波を扱うため、多数の電子機器が配置されているインストルメンタルパネル付近に収容することは好ましくないためである。また、後部座席乗員用のリアモニタ１６は、車載テレビジョンシステム本体部１４から送られる映像を表示する。
【００７０】
ここで、車載テレビジョンシステム本体部１４やハイダウェイユニット１５やリアモニタ１６との間では、映像信号に著作権情報やコピーガード情報を含ませる必要があるため、コンポジット形式で映像信号のやりとりが行われる。ところが、映像信号には、選局されている放送局や番組の内容に関する情報を重ねたい場合がある。映像信号に加工を施す際は、該映像信号がコンポーネント形式である必要がある。そのため、各機器において、映像信号をコンポジット形式やコンポーネント形式に変換する必要がある。本実施例に係る映像処理装置１は、映像信号を所望の形式に適切に変調することが可能であるため、このような車載テレビジョンシステム１３やハイダウェイユニット１５に搭載するのが好適である。
【実施例２】
【００７１】
＜構成＞
図７は、本発明の一実施例に係る映像処理装置１７の構成を示す。図７において示すように、映像処理装置１７は、入力されるコンポジット映像信号を輝度信号（Ｙ）と色信号（Ｃｒ）と色信号（Ｃｂ）とに分離する。本実施例に係る映像処理装置１７は、ＩＣ等で構成されるデジタル信号回路で構成しており、ＩＴＵ勧告の映像信号の規格（ＢＴ．６５
６）に準拠する映像を処理することを前提としているが、ＣＰＵ等を備えるコンピュータで構成してもよいし、アナログ信号回路で構成してもよい。
【００７２】
映像処理装置１７は、１ライン遅延回路１８（本発明でいう、「水平線信号記憶手段」に相当。）と位相補正回路１９（本発明でいう、「補正手段」に相当。）とを備える。１ライン遅延回路１８や位相補正回路１９は、映像信号の入力を受け付ける。また、映像処理装置１７は、信号長測定回路２０（本発明でいう、「信号長測定手段」に相当。）とジッター量取得回路２１（本発明でいう、「ジッター量取得手段」に相当。）とを備える。信号長測定回路２０は、水平同期信号の入力を受け付ける。ジッター量取得回路２１は、信号長測定回路２０から通知される情報に基づいてジッター量を取得し、位相補正回路１９に通知する。また、映像処理装置１７は、分離回路２２を備える。分離回路２２は、１ライン遅延回路１８と位相補正回路１９とから通知される信号を元にコンポジット映像信号の輝度・色分離（Ｙ／Ｃ分離）を行い、コンポーネント映像信号を生成する。
【００７３】
１ライン遅延回路１８は、ＲＡＭ（Random  Access  Memory）等の記憶媒体で構成されている。１ライン遅延回路１８は、入力される映像信号の水平線信号を一時的に記憶する。１ライン遅延回路１８は、記憶した水平線信号を１ライン分の時間だけ遅延させて分離回路２２に送る。
【００７４】
位相補正回路１９は、入力される映像信号の水平線信号の位相を補正する。位相補正回路１９は、ジッター量取得回路２１から通知されるジッター量に応じて水平線信号の位相を補正する。例えば、ジッター量取得回路２１から１画素分のジッター量が通知されれば、位相補正回路１９は、入力される映像信号の水平線信号の位相を１画素分の時間だけ遅らせる。位相補正回路１９は、ジッター量取得回路２１から通知されるコンポジット映像信号のジッター量に基づいて、映像信号の位相を補正する。
【００７５】
分離回路２２は、輝度信号（Ｙ）と色信号（Ｃ）を抽出する。ここで、コンポジット映像信号は、隣接する水平線信号の輝度信号が同位相の搬送波で構成され、隣接する水平線信号の色信号が１８０度反転した逆位相の搬送波で構成されている。よって、分離回路２２は、１ライン遅延回路１８から送られる映像信号と位相補正回路１９から送られる映像信号を加算して輝度信号（Ｙ）を抽出し、１ライン遅延回路１８から送られる映像信号と位相補正回路１９から送られる映像信号を減算して色信号（Ｃ）を抽出し、それぞれを出力する。
【００７６】
ここで、位相補正回路１９に通知されるジッター量は、信号長測定回路２０とジッター量取得回路２１とが以下のように協働することにより取得される。
【００７７】
まず、信号長測定回路２０が、入力される水平同期信号の間隔を測定する。信号長測定回路２０は、連続して入力される水平線信号にそれぞれ含まれている水平同期信号を検知し、連続する２つの水平同期信号の間に挟まれている画素データの個数を計数し、水平線信号の長さを取得する。信号長測定回路２０は、取得した水平線信号の長さをジッター量取得回路２１に通知する。
【００７８】
次に、ジッター量取得回路２１が、信号長測定回路２０から通知される水平線信号の長さに基づいてジッター量を測定する。ジッター量取得回路２１は、ＩＴＵが勧告する映像信号の規格に関する情報を有しており、信号長測定回路２０から通知される水平線信号の長さと映像信号の長さに関する規格の情報とを照らし合わせる。ジッター量取得回路２１は、信号長測定回路２０から通知される水平線信号の長さが規格の長さと一致していればジッター量ゼロと判断する。他方、ジッター量取得回路２１は、信号長測定回路２０から通知される水平線信号の長さが規格の長さよりも長いか或いは短ければ、その差分をジッ
ター量として算出する。ジッター量取得回路２１は、算出したジッター量に関する情報を位相補正回路１９に通知する。
【００７９】
＜処理フロー＞
次に、映像処理装置１７の処理フローについて説明する。図８において、映像処理装置１７の処理フローを示す。以下、図８に示すフロー図を参照しながら説明する。
【００８０】
映像処理装置１７にコンポジット映像信号が入力されると、１ライン遅延回路１８が水平線信号を一時的に記憶する（Ｓ２０１）。以下、１ライン遅延回路１８に記憶された映像信号を、一の水平線信号と称する。また、一の水平線信号の次に連続して入力される水平線信号を、後続の水平線信号と称する。
【００８１】
次に、信号長測定回路２０が、コンポジット映像信号に含まれている連続する一の水平線信号の水平同期信号と後続の水平線信号の水平同期信号との間隔を測定する。これにより、一の水平線信号の長さが取得される。信号長測定回路２０は、一の水平線信号の長さに関する情報をジッター量取得回路２１に通知する。ジッター量取得回路２１は、通知された一の水平線信号の長さとＩＴＵ勧告の水平線信号の長さとを比較し、一の水平線信号に含まれるジッター量を取得する（Ｓ２０２）。ジッター量取得回路２１は、取得した一の水平線信号に含まれるジッター量に関する情報を位相補正回路１９に通知する。
【００８２】
次に、位相補正回路１９が、後続の水平線信号の位相をジッター量に応じて補正する（Ｓ２０３）。すなわち、位相補正回路１９は、ジッター量取得回路２１から通知されるジッター量に比例するように後続の水平線信号の位相を補正する。位相補正回路１９は、ジッター量に応じて位相を補正した後続の水平線信号を分離回路２２に送る。
【００８３】
なお、図９において、位相補正回路１９が、ジッター量に応じて後続の水平線信号の位相をするまでの再計算期間を示す。図９において示すように、映像処理装置１には、コンポジット映像信号に含まれる一の水平線信号や後続の水平線信号が逐次入力されている。また、映像処理装置１は、入力されたコンポジット映像信号を順次Ｙ／Ｃ分離する必要がある。そこで、位相補正回路１９は、図９に示すように、後続の水平線信号のＹ／Ｃ分離を行う前までに後続の水平線信号の位相の補正を行う。
【００８４】
次に、分離回路２２が、１ライン遅延回路１８から送られる一の水平線信号と、位相補正回路１９から送られる位相の補正が施された後続の水平線信号とを加算して輝度信号（Ｙ）を生成する。また、分離回路２２は、１ライン遅延回路１８から送られる一の水平線信号と、位相補正回路から送られる位相の補正が施された後続の水平線信号と、を減算して色信号（Ｃ）を生成する。これにより、入力されたコンポジット映像信号から輝度信号と色信号が分離（Ｙ／Ｃ分離）される（Ｓ２０４）。分離回路２２は、分離した輝度信号と色信号を外部に出力する。
【００８５】
＜効果＞
以上により、入力されるコンポジット映像信号にジッターが混入していても、適正に輝度信号と色信号を分離することが可能となる。このため、適切に分離された輝度信号と色信号を映像表示装置等に送ることにより、ノイズや変色の少ない画像を表示させることが可能になる。
【図面の簡単な説明】
【００８６】
【図１】実施例１に係る映像処理装置の構成を示す図。
【図２】ジッターが混入していない映像信号とジッターが混入した映像信号と位相カウンタとの関係を示す図。
【図３】ジッターの影響による色副搬送波の位相のずれを示す図。
【図４】実施例１に係る映像処理装置の処理フローを示す図。
【図５】位相の再計算期間を示す図。
【図６】実施例１に係る映像処理装置を適用した車載テレビジョンシステムのシステム構成を示す図。
【図７】実施例２に係る映像処理装置の構成を示す図。
【図８】実施例２に係る映像処理装置の処理フローを示す図。
【図９】位相の再計算期間を示す図。
【符号の説明】
【００８７】
１、１７・・・・・・・・・・・映像処理装置
２・・・・・・・・・・・・・・マトリックス回路
３・・・・・・・・・・・・・・変調回路
４・・・・・・・・・・・・・・加算回路
５・・・・・・・・・・・・・・色副搬送波生成回路
６、２０・・・・・・・・・・・信号長測定回路
７、２１・・・・・・・・・・・ジッター量取得回路
８・・・・・・・・・・・・・・輝度信号
９、１０・・・・・・・・・・・色信号
１１・・・・・・・・・・・・・色副搬送波
１２・・・・・・・・・・・・・搬送色信号
１３・・・・・・・・・・・・・車載テレビジョンシステム
１４・・・・・・・・・・・・・車載テレビジョンシステム本体部
１５・・・・・・・・・・・・・ハイダウェイユニット
１６・・・・・・・・・・・・・リアモニタ
１８・・・・・・・・・・・・・１ライン遅延回路
１９・・・・・・・・・・・・・位相補正回路
２２・・・・・・・・・・・・・分離回路
【図１】
2008131384.tif 000004
【図２】
2008131384.tif 000005
【図３】
2008131384.tif 000006
【図４】
2008131384.tif 000007
【図５】
2008131384.tif 000008
【図６】
2008131384.tif 000009
【図７】
2008131384.tif 000010
【図８】
2008131384.tif 000011
【図９】
2008131384.tif 000012